(57)【要約】      （修正有）【課題】電磁調理器を提供する。【解決手段】ボトムケースは、そのトップ部が開放され、ボトムケースの内部チェンバーには、組立収納チェンバーが形成されて、パネル２は、ボトムケースの開放端に設置され、パネルの上端は、調理ポット体の支持面で、温度コントローラは、内枠３１を含み、内枠のトップ端には、調理ポット体と接触する温度感知蓋３２が設置され、内枠の内部チェンバーには、接触的または非接触的に、温度感知蓋の温度を測定する温度測定素子３３が設置されており、その中、前記温度コントローラは、パネルのスルーホールから伸縮して突出し、温度コントローラの温度感知蓋３２は調理ポット体に当接され、前記パネルのスルーホールと温度コントローラとの間には、スープの流入を避けるための密封構造、または、スープをボトムケースから導出するための排水構造が設置されており、温度コントローラには、伸縮を駆動する弾性駆動構造が設置されている。【選択図】図１
0003223501.tif 000002
【実用新案登録請求の範囲】
【請求項１】
ボトムケース（１）、パネル（２）、および、温度コントローラ（３）を含む電磁調理器であって、
前記ボトムケース（１）は、そのトップ部が開放され、前記ボトムケース（１）の内部チェンバーには、組立収納チェンバーが形成されており、
前記パネル（２）は、ボトムケース（１）の開放端に設置され、パネル（２）の上端は、調理ポット体の支持面であり、
前記温度コントローラ（３）は、内枠（３１）を含み、前記内枠（３１）のトップ端には、調理ポット体と接触する温度感知蓋（３２）が設置され、前記内枠（３１）の内部チェンバーには、接触的または非接触的に、温度感知蓋（３２）の温度を測定する温度測定素子（３３）が設置されており、
その中、前記温度コントローラ（３）は、パネル（２）のスルーホールから伸縮して突出し、温度コントローラ（３）の温度感知蓋（３２）は調理ポット体に当接され、
前記パネル（２）のスルーホールと温度コントローラ（３）との間には、スープの流入を避けるための密封構造、または、スープをボトムケース（１）から導出するための排水構造が、設置されており、
前記温度コントローラ（３）には、温度コントローラ（３）の伸縮を駆動する弾性駆動構造が設置されている
ことを特徴とする電磁調理器。
【請求項２】
前記接触的に温度感知蓋（３２）の温度を測定する温度測定素子（３３）は、サーミスタ（３５）を含み、前記サーミスタ（３５）は、内枠（３１）の内部チェンバー内に固定され、前記サーミスタ（３５）は、温度感知蓋（３２）の下端に接触され、前記内枠（３１）の内部チェンバー内には、固定体が設置されており、前記サーミスタ（３５）は、固定体に設置される
ことを特徴とする請求項１に記載の電磁調理器。
【請求項３】
前記非接触的に温度感知蓋（３２）の温度を測定する温度測定素子（３３）は、赤外線プローブ（３８）を含み、前記赤外線プローブ（３８）は、内枠（３１）の内部チェンバー内に設置されており、前記赤外線プローブ（３８）の測定端は、温度感知蓋（３２）の下端に面している
ことを特徴とする請求項１に記載の電磁調理器。
【請求項４】
前記弾性駆動構造は、駆動バネ（５）であり、前記内枠（３１）の外側の側壁は、下方に向けて開口する取付溝体（３６）を形成し、前記駆動バネ（５）の上端は、取付溝体（３６）に設置され、前記駆動バネ（５）の下端は、ボトムケース（１）内の支持フレーム（４）に接続され、前記内枠（３１）は、支持フレーム（４）のガイドホール（４１）に沿って摺動される
ことを特徴とする請求項１に記載の電磁調理器。
【請求項５】
前記温度感知蓋（３２）は、内枠（３１）の上端に被せられているか、または、内枠（３１）の内部チェンバー内に挿入されている
ことを特徴とする請求項１に記載の電磁調理器。
【請求項６】
前記温度感知蓋（３２）の下端は、取付皿穴を形成し、前記取付皿穴は、内枠（３１）の上端に被せられている。
ことを特徴とする請求項５に記載の電磁調理器。
【請求項７】
前記温度感知蓋（３２）の下端は、咬合バックルを形成し、前記内枠（３１）の上端は、咬合バックル溝を形成し、前記咬合バックルと咬合バックル溝とは互いに固定される
ことを特徴とする請求項５に記載の電磁調理器。
【請求項８】
前記温度感知蓋（３２）の下端は、内枠（３１）の内部チェンバー内に挿入されるスリーブを形成し、前記スリーブの外壁には、固定用円周溝（３９）が形成される
ことを特徴とする請求項５に記載の電磁調理器。
【請求項９】
前記内枠（３１）の内部チェンバーの内壁には、円周溝（３９）と互いに固定される凸状リングが形成されているか、または、前記円周溝（３９）内には、内部チェンバーの内壁と接続されるポッティング絶縁層が設置されている
ことを特徴とする請求項８に記載の電磁調理器。
【請求項１０】
前記内枠（３１）の下端には、横方向スルーホールが形成され、前記横方向スルーホールには、温度コントローラ（３）の突出高さを制限する位置制限ロッキングピン（６）が設置されている
ことを特徴とする請求項４に記載の電磁調理器。
【請求項１１】
前記支持フレーム（４）には、ガイドホール（４１）が形成され、前記ガイドホール（４１）の内壁には、駆動バネ（５）を収納する下部溝体（４２）が形成され、前記下部溝体（４２）の開口は、上方に向けている
ことを特徴とする請求項４に記載の電磁調理器。
【請求項１２】
前記ボトムケース（１）の内壁には、支持突起が形成され、前記支持突起上には、絶縁層（７）が設置されており、前記絶縁層（７）上には、パネル（２）が設置されており、前記ボトムケース（１）の上端には、パネル（２）を固定する固定プレート（７２）が設置されている
ことを特徴とする請求項１に記載の電磁調理器。
【請求項１３】
前記絶縁層（７）の上端は、傾斜な水ガイド面を形成し、前記絶縁層には、水ガイドホール（７１）が形成され、前記ボトムケース（１）には、電気素子を保護する止水リブ（７３）が形成される
ことを特徴とする請求項１２に記載の電磁調理器。
【請求項１４】
前記排水構造は、下部溝体（４２）の溝底部に設置されたブラケット案内管（４３）を含み、前記ブラケット案内管（４３）は、ボトムケース（１）の案内孔に挿入される。
ことを特徴とする請求項１１に記載の電磁調理器。
【請求項１５】
前記パネル（２）のスルーホール内には、スルーホール保護アセンブリが設置されており、前記スルーホール保護アセンブリは、スルーホール内に設置されているパッケージスリーブ（８）を含み、前記パッケージスリーブ（８）の上端は、パネル（２）の上端と接触するリング状の位置制限プレートを形成し、前記パッケージスリーブ（８）の下端には、ロック用ナット（８１）またはロック用スプリングシート（８２）が設置されている
ことを特徴とする請求項４に記載の電磁調理器。
【請求項１６】
前記密封構造は、スルーホール内に設置されている密封リングであり、前記密封リングの内部リングは、温度コントローラ（３）と接触される
ことを特徴とする請求項１に記載の電磁調理器。
【請求項１７】
前記密封構造は、スルーホールに設置されている組立スリーブ（９）を含み、前記組立スリーブ（９）の上端には、ガスケット（９１）が設置されており、前記ガスケット（９１）の上端は、調理ポット体と接触され、前記ガスケット（９１）の下端は、温度コントローラ（３）の温度感知蓋（３２）と接触される
ことを特徴とする請求項１に記載の電磁調理器。
【請求項１８】
前記密封構造は、密封スリーブ（９２）を含み、前記密封スリーブ（９２）の上端は、パネル（２）の下端に固定され、前記密封スリーブ（９２）の内壁には、咬合溝（９３）が形成され、前記咬合溝（９３）は、内枠（３１）の取付プレートに咬合される
ことを特徴とする請求項１に記載の電磁調理器。
【請求項１９】
前記温度コントローラ（３）の側壁には、温度コントローラ（３）の突出高さを制限する突出位置制限装置が設置されており、前記突出位置制限装置は、突出位置制限リブ（６１）を含み、前記温度コントローラ（３）の側壁には、温度コントローラ（３）の伸縮過程をガイドするセンタリング位置制限リブ（６２）がさらに設置されている
ことを特徴とする請求項１０に記載の電磁調理器。
【考案の詳細な説明】
【技術分野】
【０００１】
本発明は、電気エネルギーを利用して加熱する炉またはストーブの分野に属し、具体的には、電磁調理器に関する。
【背景技術】
【０００２】
電磁ストーブとも呼ばれる電磁調理器は、コイルに交番電流を印加して方向が不断に変化される交番磁界を発生させて、交番磁界内に位置する導体の内部に渦電流が生成されるようにして、渦電流のジュール加熱効果によって導体の温度を上昇させて、加熱を実現する。
【０００３】
電磁調理器は、一般的に、調理器具を支持するためのパネル、メイン電流回路を構成する高電圧メイン基板、コンピュータ制御機能のための低電圧メイン基板、動作状態の表示および操作命令の伝送のためのＬＥＤ回路基板、高周波交番電流を交番磁界に変換するためのコイルディスク、低電流信号により大電流のオン／オフを制御するＩＧＢＴ、交流電源を直流電源に変換するブリッジ整流ブロック、熱信号を制御回路に伝達する温度コントローラアセンブリなどのような、コンポーネントを含む。
【０００４】
電磁調理器は、上記の原理に従って、加熱速度の高速化、省エネルギーと環境保護、清掃の容易化、精密な温度制御などの多くの利点を有するから、多くの人々の関心を受けている。
【０００５】
しかしながら、現在のところ、電磁調理器は、温度感知素子の温度感知面が基本的にすべてパネルの下端に設置されるため、実際の動作過程において、パネルの熱伝達に起因して温度感知の遅延が発生して、温度感知素子が感知した温度と調理器具の内部の食料品の温度との差が非常に大きくなり、その結果、電磁調理器による炒め調理中で、ポットの底に焦げ付けてしまうことがよく発生する。
【０００６】
現在のところ、電磁調理器は、調理ポット体に対して温度測定を行う際に、温度コントローラの構造上の制約によって、その測定温度の精度をもう一層向上させる必要があり、また、温度コントローラ中の温度感知構造の組立信頼性を向上させる必要がある。
【０００７】
また、電磁調理器は、調理過程にスープがパネルに飛び散ることが避けられず、飛び散ったスープは電磁調理器の内部の電気素子に対して安全上の危険をもたらすことになる。
【考案の概要】
【０００８】
本発明は、従来の技術に存在する問題を解決するためになされたものであり、その目的は、電磁調理器を提供することにある。
【０００９】
本発明の技術案は、電磁調理器を提供し、上記電磁調理器は、ボトムケース、パネル、および、温度コントローラを含み、前記ボトムケースは、そのトップ部が開放され、前記ボトムケースの内部チェンバーには、組立収納チェンバーが形成されており、前記パネルは、ボトムケースの開放端に設置されており、パネルの上端は、調理ポット体の支持面であり、前記温度コントローラは、内枠を含み、前記内枠のトップ端には、調理ポット体と接触する温度感知蓋が設置されており、前記内枠の内部チェンバーには、接触的または非接触的に温度感知蓋の温度を測定する温度測定素子が設置されており、
その中、前記温度コントローラは、パネルのスルーホールから伸縮して突出し、温度コントローラの温度感知蓋は、調理ポット体に当接され、
前記パネルのスルーホールと温度コントローラとの間には、スープの流入を避けるための密封構造、または、スープをボトムケースから導出するための排水構造が、設置されており、
前記温度コントローラには、駆動温度コントローラの伸縮を駆動する弾性駆動構造が設置されている。
【００１０】
前記接触的に温度感知蓋の温度を測定する温度測定素子は、サーミスタを含み、前記サーミスタは、内枠の内部チェンバー内に固定され、前記サーミスタは、温度感知蓋の下端に接触され、前記内枠の内部チェンバー内には、固定体が設置されており、前記サーミスタは、固定体に設置される。
【００１１】
前記非接触的に温度感知蓋の温度を測定する温度測定素子は、赤外線プローブを含み、前記赤外線プローブは、内枠の内部チェンバー内に設置されており、前記赤外線プローブの測定端は、温度感知蓋の下端に面している。
【００１２】
前記弾性駆動構造は、駆動バネであり、前記内枠の外側の側壁は、下方に向けて開口する取付溝体を形成し、前記駆動バネの上端は、取付溝体に設置され、前記駆動バネの下端は、ボトムケース内の支持フレームに接続され、前記内枠は、支持フレームのガイドホールに沿って摺動される。
【００１３】
前記温度感知蓋は、内枠の上端に被せられているか、または、内枠の内部チェンバー内に挿入されている。
【００１４】
前記温度感知蓋の下端は、取付皿穴を形成し、前記取付皿穴は、内枠の上端に被せられている。
【００１５】
前記温度感知蓋の下端は、咬合バックルを形成し、前記内枠の上端は、咬合バックル溝を形成し、前記咬合バックルと咬合バックル溝とは互いに固定される。
【００１６】
前記温度感知蓋の下端は、内枠の内部チェンバー内に挿入されるスリーブを形成し、前記スリーブの外壁には、固定用円周溝が形成される。
【００１７】
前記内枠内部チェンバーの内壁には、円周溝と互いに固定される凸状リングが形成されているか、または、前記円周溝内には、内部チェンバーの内壁と接続されるポッティング絶縁層が設置されている。
【００１８】
前記内枠の下端には、横方向スルーホールが形成され、前記横方向スルーホールには、温度コントローラの突出高さを制限する位置制限ロッキングピンが設置されている。
【００１９】
前記支持フレームには、ガイドホールが形成され、前記ガイドホールの内壁には、駆動バネを収納する下部溝体が形成され、前記下部溝体の開口は、上方に向けている。
【００２０】
前記ボトムケースの内壁には、支持突起が形成され、前記支持突起上には、絶縁層が設置されており、前記絶縁層上には、パネルが設置されており、前記ボトムケースの上端には、パネルを固定する固定プレートが設置されている。
【００２１】
前記絶縁層の上端は、傾斜な水ガイド面を形成し、前記絶縁層には、水ガイドホールが形成され、前記ボトムケースには、電気素子を保護する止水リブが形成されている。
【００２２】
前記排水構造は、下部溝体溝底部に設置されたブラケット案内管を含み、前記ブラケット案内管は、ボトムケースの案内孔に挿入される。
前記パネルのスルーホール内には、スルーホール保護アセンブリが設置されており、前記スルーホール保護アセンブリは、スルーホール内に設置されているパッケージスリーブを含み、前記パッケージスリーブの上端は、パネルの上端と接触するリング状の位置制限プレートを形成し、前記パッケージスリーブの下端には、ロック用ナットまたはロック用スプリングシートが設置されている。
【００２３】
前記密封構造は、スルーホール内に設置されている密封リングであり、前記密封リングの内部リングは、温度コントローラと接触される。
【００２４】
前記密封構造は、スルーホールに設置されている組立スリーブを含み、前記組立スリーブの上端には、ガスケットが設置されており、前記ガスケットの上端は、調理ポット体と接触され、前記ガスケットの下端は、温度コントローラの温度感知蓋と接触される。
【００２５】
前記密封構造は、密封スリーブを含み、前記密封スリーブの上端は、パネルの下端に固定され、前記密封スリーブの内壁には、咬合溝が形成され、前記咬合溝は、内枠の取付プレートに咬合される。
【００２６】
前記温度コントローラ側壁には、温度コントローラの突出高さを制限する突出位置制限装置が設置されており、前記突出位置制限装置は、突出位置制限リブを含み、前記温度コントローラ側壁には、温度コントローラ伸縮過程をガイドするセンタリング位置制限リブがさらに設置されている。
【００２７】
本発明によると、パネルには、スルーホールが形成され、スルーホール内には伸縮型の温度コントローラが設置されているので、温度コントローラと調理ポット体の底部との当接を実現して、調理ポット体の底部の温度に対する温度コントローラの精度よい測定を確保できるし、温度コントローラの温度感知蓋を最適化することにより、伝導過程中の熱損失を減らすことができるし、パネルの下端の絶縁層、水ガイドホール、および、止水リブによって、パネルの破裂後の絶縁、防水、および、保護を実現できるし、パネルのスルーホールの密封構造または排水構造によって、パネル上のスープのボトムケース内の電気素子への流入を避けることができるので、電磁調理器の精度よい温度制御を実現して、使用の安全性を向上させた。
【図面の簡単な説明】
【００２８】
【図１】本発明の全体的な構造の模式図である。
【図２】本発明に係るサーミスタの実施例１の組立図である。
【図３】本発明に係るサーミスタの実施例２の組立図である。
【図４】本発明に係るサーミスタの実施例３の組立図である。
【図５】本発明に係る赤外線プローブの組立図である。
【図６】本発明に係る温度感知蓋の実施例１の組立図である。
【図７】本発明に係る温度感知蓋の実施例２の組立図である。
【図８】本発明に係る温度感知蓋の実施例３の組立図である。
【図９】図８の温度感知蓋の熱伝導の模式図である。
【図１０】本発明に係る絶縁層の実施例１の組立図である。
【図１１】本発明に係る絶縁層の実施例２の組立図である。
【図１２】本発明に係る支持フレームの排水の模式図である。
【図１３】本発明に係るパッケージスリーブの実施例１の組立図である。
【図１４】本発明に係るパッケージスリーブの実施例２の組立図である。
【図１５】本発明に係るパネルのスルーホールによる防水の実施例１の組立図である。
【図１６】本発明に係るパネルのスルーホールによる防水の実施例２の組立図である。
【図１７】本発明に係る温度感知蓋の固定取付の組立図である。
【図１８】本発明に係る突出位置制限リブの組立の斜視図である。
【考案を実施するための形態】
【００２９】
以下、図面と実施例を参照しながら、本発明を詳細に説明する。
図１に示したように、電磁調理器は、ボトムケース１、および、パネル２を含み、前記ボトムケース１は、そのトップ部が開放され、ボトムケース１の内部チェンバーには、組立収納チェンバーが形成されており、前記パネル２は、ボトムケース１の開放端に設置されており、パネル２の上端は、調理ポット体の支持面であり、パネル２のスルーホールには、調理ポット体を伸縮的に測定する温度コントローラ３が設置されており、前記温度コントローラ３は、内枠３１を含み、前記内枠３１のトップ端には、調理ポット体と接触する温度感知蓋３２が設置されており、前記内枠３１の内部チェンバーには、温度感知蓋３２の温度を接触的または非接触的に測定する温度測定素子３３が設置されている。
【００３０】
伸縮型の温度コントローラ３は、その上端の温度感知蓋３２がパネル２の上端面から突出することができ、作業者が食料品が込められている調理ポット体をパネル２上に載置すると、調理ポット体は、伸縮型の温度コントローラ３を押下し、この時、温度感知蓋３２は、調理ポット体に当接され、温度コントローラ３は、調理ポット体に密着されて、調理ポット体に対して直接に温度を感知する。
【００３１】
前記パネル２のスルーホールは、パネル２の中央部に位置し、前記パネル２のスルーホールの直径を、温度コントローラ３の突出端の外径よりも大きくして、温度コントローラがスルーホールに沿って軸方向へ伸縮できるように確保する。
【００３２】
前記温度感知蓋３２は、調理ポット体に当接されて、調理ポット体の温度を直接に伝導でき、温度コントローラ３中の温度測定素子３３により温度感知蓋３２の温度を測定して、調理ポット体の底部の実際の加熱温度を取得することによって、過熱によりポットの底に焦げ付ける現象が発生されることを避ける。
【００３３】
図２〜４に示したように、前記温度感知蓋３２の温度を接触的に測定する温度測定素子３３は、サーミスタ３５を含み、前記サーミスタ３５は、内枠３１の内部チェンバー内に固定されており、前記サーミスタ３５は、温度感知蓋３２の下端と互いに接触し、前記内枠３１の内部チェンバー内には、固定体が設置されており、前記サーミスタ３５は、固定体内に設置されている。
【００３４】
前記温度感知蓋３２の下端には、咬合バックルを形成し、前記内枠の上端は、咬合バックル溝を形成し、前記咬合バックルと咬合バックル溝とは互いに固定される。
【００３５】
前記咬合バックルと咬合バックル溝は、射出成形加工された温度感知蓋３２と内枠３１とのより良い結合を可能にし、温度感知蓋３２と内枠３１との咬合の強さを向上させる。
【００３６】
前記内枠３１には、径方向のスルーホールが形成されており、位置制限ロッキングピン６は、径方向のスルーホール内に挿入されて固定されている。本願において、位置制限ロッキングピン６によって内枠３１の上方への移動を制限する形態の例のみを挙げたが、内枠３１の外壁における移動距離を制限する他の形態を限定されない。
【００３７】
位置制限ロッキングピン６は、内枠３１の鉛直上方への変位の最大サイズを限定する。上記位置制限構造と駆動バネ５との共同の作用によって、温度コントローラ３の温度感知蓋は、上下に伸縮自在できて、温度感知蓋が、温度を測定しようとする調理ポット体に緊密に当接できるようにして、温度感知精度を向上させる。
【００３８】
前記駆動バネ５は、温度コントローラ３と調理ポット体との間が加圧されて当接することが確保でき、前記位置制限ロッキングピン６は、パネル２上に調理ポット体を載置しなかった状態で、温度コントローラ３がパネル２のスルーホールから滑り出さないように確保して、伸縮型の温度コントローラの使用の安定性を確保できる。同時に、その使用寿命を向上させる。
【００３９】
図２に示したように、前記温度感知蓋３２は、熱伝導性の金属材料の温度感知蓋であり、前記固定体は、充填体であり、サーミスタ３５は、充填体の絶縁スリーブ内に設置されている。
【００４０】
前記金属材料の温度感知蓋３２は、銅材料の温度感知蓋またはアルミニウム材料の温度感知蓋である。前記絶縁スリーブと温度感知蓋３２の下端との間には、絶縁パッド３４がさらに設置されている。絶縁スリーブと絶縁パッド３４とは、二重絶縁を形成することによって、接地構造を必要としない前提の下で、安全性を確保する。
【００４１】
絶縁パッド３４を、温度感知蓋３２の下端に当接して配置し、また、絶縁パッド３４の下端に、サーミスタ３５が当接されて配置し、続いて、絶縁材料を充填して封止して充填体を形成する。
【００４２】
前記充填体は、一方では、温度感知蓋３２と内枠３１との全体的な結合をもう一層強化することができ、もう一方では、効果的に防湿できて、温度コントローラの全体的な性能を向上させることができる。
【００４３】
図３に示したように、前記温度感知蓋３２は、熱伝導性の非金属材料の温度感知蓋であり、前記固定体は、充填体であり、サーミスタ３５は、充填体内に封入され、また、サーミスタ３５は、温度感知蓋３２と接触される。
【００４４】
前記非金属材料の温度感知蓋材料は、熱伝導性セラミック、熱伝導性シリコーンまたは、プラスチックである。前記充填体は、防水絶縁材料である。
【００４５】
図４に示したように、前記温度感知蓋３２は、熱伝導性の金属材料の温度感知蓋であり、前記固定体は、サーミスタブラケット３７であり、サーミスタ３５は、サーミスタブラケット３７内に締まり嵌めて組み立てされ、前記サーミスタブラケット３７は、内枠３１内に圧入されており、前記サーミスタ３５と温度感知蓋３２の下端との間には、絶縁パッド３４がさらに設置されている。
【００４６】
前記サーミスタブラケット３７と内枠３１との固定方法は、締まり嵌め組立に限定されない。
【００４７】
前記サーミスタブラケット３７の材料は、シリコーンまたはプラスチックの材料である。
【００４８】
図５に示したように、温度感知蓋３２の温度を非接触的に測定する温度測定素子３３は、赤外線プローブ３８を含み、前記赤外線プローブ３８は、内枠３１の内部チェンバー内に設置されており、前記赤外線プローブ３８の測定端は、温度感知蓋３２の下端に面している。
【００４９】
前記温度感知蓋３２の材料は、銅、アルミニウム、グラファイトなどの熱伝導が良好で、材料表面の放射率が一定の材料である。温度感知蓋３２は、自体の温度状態を熱放射の形態によって、特定の表面放射率で、赤外線プローブ３８に伝達し、赤外線プローブ３８は、算出処理によって現在の調理ポット体の温度状態情報を得ることができる。
【００５０】
前記固定体には、取付スルーホールが形成され、前記固定体の上端は、ドップ溝を形成し、前記取付スルーホールは、ドップ溝に連通され、前記赤外線プローブ３８は、取付スルーホールに設置され、赤外線プローブ３８の測定端は、取付スルーホールから突出してドップ溝内に位置し、前記赤外線プローブ３８の上端は、温度感知蓋３２と接触していない。
【００５１】
図２〜４に示したように、前記内枠３１の外側の側壁は、下方に向けて開口された取付溝体３６を形成し、前記取付溝体３６には、駆動バネ５が設置されており、前記駆動バネ５の下端は、ボトムケース１の支持フレーム４と接続され、前記内枠３１は、支持フレーム４のガイドホール４１に沿って摺動される。
【００５２】
前記支持フレーム４には、ガイドホール４１が形成され、前記ガイドホール４１の内壁には、駆動バネ５を収納する下部溝体４２が形成され、前記下部溝体４２の開口は、上方に向けている。
【００５３】
前記支持フレーム４は、ボトムケース１内に固定され、前記駆動バネ５は、内枠３１が上方へ移動するように駆動して、温度感知蓋３２がパネル２の上端から突出されるようにすることができる。
【００５４】
前記駆動バネ５の上端は、取付溝体３６内に挿入され、また、前記駆動バネ５は、取付溝体３６の外溝壁に接近され、前記駆動バネ５の下端は、下部溝体４２に挿入され、また、前記駆動バネ５は、下部溝体４２の内溝壁に接近され、このように、上記の構造によって駆動バネ５の取付を確保し、下部溝体４２は、さらに、内枠３１の上下移動をガイドすることができる。
【００５５】
前記駆動バネ５は、形状記憶金属ばねである。
【００５６】
常温では、駆動バネ５は、フリー状態であり、電磁調理器が動作を開始すると、調理ポット体の温度が上昇し始め、調理ポット体の温度が放射によって温度コントローラ３の周囲環境に伝達され、形状記憶金属ばねが位置する環境の温度も上昇される。形状記憶金属により設定された相変化温度に達すると、形状記憶金属は、初期設定状態に復帰して、温度コントローラ３が押し上げられて、温度感知面５がポット体９の底部に密着されるようにし、この状態で、温度コントローラ３は、調理器具の実際の温度をより良好に感知できる。
【００５７】
前記形状記憶金属ばねは、記憶金属から作成される。
【００５８】
前記形状記憶金属ばねの相変化温度は、７０℃より小さいか等しいである。
【００５９】
図６〜９に示したように、前記温度感知蓋３２は、内枠の上端に被せられているか、または、内枠３１の内部チェンバー内に挿入されている。前記内枠３１は、上部取付部、中央部の取付溝体３６、および、下部摺動嵌合部を含み、前記内枠３１は、中空であって、温度測定素子３３の内枠チェンバーの取り付けが便利になり、内枠チェンバーは、温度測定素子３３の導線の引き出しを便利にすることができる。
【００６０】
図６に示したように、前記温度感知蓋３２の下端は、取付皿穴を形成し、前記取付皿穴は、内枠３１の上端に被せられている。
【００６１】
同時に、前記上部取付部と中央部の取付溝体３６との間の過渡部には、断熱リング溝が形成され、前記上部取付部の軸方向の長さは、取付皿穴の深さよりも大きく、温度感知蓋３２の下端が宙吊りになるようにし、上部取付部の全体が取付皿穴に位置するようにして、内枠３１内の温度測定素子３３の測定精度を確保する。
【００６２】
図７に示したように、前記温度感知蓋３２の下端は、内枠３１の内部チェンバー内に挿入されるスリーブを形成し、前記スリーブの外壁には、固定用円周溝３９が形成され、前記内枠３１の内部チェンバーの内壁には、円周溝３９に固定される凸状リングが形成される。
【００６３】
前記円周溝３９と凸状リングとは互いに係合されて、温度感知蓋３２を内枠３１の上端に固定し、前記円周溝３９も取付過程で温度測定素子３３の取付位置を確保できる。
【００６４】
前記円周溝３９と凸状リングは、組立の困難性を大幅に低減することができる同時に、組立間隙を避けて、温度感知蓋の露出面積を減少させることができ、温度コントローラの全体の熱放散性を低減して、温度感知をより正確にすることができる。
【００６５】
図８〜９に示したように、前記温度感知蓋３２の下端は、内枠３１の内部チェンバー内に挿入されるスリーブを形成し、前記スリーブの外壁には、固定用円周溝３９が形成される。前記円周溝３９内には、内部チェンバーの内壁と接続されるポッティング絶縁層が設置されている。
【００６６】
前記内枠チェンバーは、熱を集めることができる集熱チェンバーであり、その一部は、温度感知蓋３２を通じて集熱チェンバーに直接に入り、もう一部は、スリーブによってガイドされた後に、径方向に沿って集熱チェンバーに入って、集熱チェンバー内で立体的な温度感知を形成し、その後、サーミスタによって、精度よい温度感知を実現する。サーミスタは、リアルタイムでポットの底部の温度に従って変化される立体的な温度場内に包囲されて、ポットの底部の温度の変化をもっと早く且つもっと精度よく感知して、温度コントローラの温度感知精度を向上させる。
【００６７】
前記サーミスタは、ウェハを封入するウェハガラス密封層、および、ウェハを接続するウェハリードを含み、前記ウェハガラス密封層およびウェハリードの外部は、封止絶縁層で覆われている。
【００６８】
前記ウェハおよびウェハリードと温度感知蓋との間の耐電圧レベルは≧３０００Ｖである。
【００６９】
封止絶縁層材料は、エポキシ樹脂、または、乾燥や焼成により硬化可能な混合接着剤と類似した材料である。前記サーミスタと温度感知蓋３２との間には、絶縁シートが設置されている。
【００７０】
絶縁シートは、絶縁性および耐温性が良好のシリコーン、テフロン、ポリイミドなどの材料である。前記スリーブの内壁には、絶縁スリーブが設置されている。
【００７１】
絶縁スリーブは、絶縁性および耐温性が良好のシリコーン、テフロン、ポリイミドなどの材料である。前記サーミスタは、ポッティング絶縁層を通じて、スリーブ、温度感知蓋３２、および、内枠に固定される。
【００７２】
ポッティング絶縁層材料は、エポキシ樹脂、または、乾燥や焼成により硬化可能な混合接着剤と類似した材料である。円周溝３９が存在するので、ポッティング絶縁層が硬化された後に、温度感知蓋と内枠とを、効果的に、緊密且つしっかりと結合させることができる。
【００７３】
前記ウェハと温度感知蓋３２との間には、鉛直方向の３層の絶縁層が設置されており、前記鉛直方向の３層の絶縁層は、順に、ウェハガラス密封層、封止絶縁層、および、絶縁シートである。
【００７４】
前記ウェハリードとスリーブとの間には、周方向の３層の絶縁層が形成されており、前記周方向の３層の絶縁層は、順に、封止絶縁層、ポッティング絶縁層、および、絶縁スリーブである。
【００７５】
図１０に示したように、前記ボトムケース１内壁には、支持突起が形成され、前記支持突起上には、絶縁層７が設置されており、前記絶縁層７上には、パネル２が設置されており、前記ボトムケース１の上端には、固定パネル２の固定プレート７２が設置されている。
【００７６】
前記絶縁層７の上端は、傾斜された水ガイド面を形成し、前記絶縁層には、水ガイドホール７１が形成され、前記ボトムケース１内には、電気素子を保護する止水リブ７３が形成される。
【００７７】
前記絶縁層７のドップ側は、水ガイド傾斜面と水ガイドホール７１を形成し、ボトムケースの底部は、止水リブ７３を形成する。
【００７８】
前記水ガイドホール７１は、絶縁層７の外周のエッジに設置され、前記ボトムケース１の底部には、トップ部に向かって延びる止水リブ７３が設置されている。
【００７９】
前記水ガイド傾斜面は、絶縁層７のドップ面に沿って、水ガイドホール７１を向かって徐々に傾斜されて、水が水ガイドホール７１を介してケース体１の底部に流入されるようにし、止水リブ７３によって水を電気部件から隔離させて、水をボトムケースの通風口から排出させる。このようにして、絶縁構造を形成して、電磁調理器のパネルの損傷後の絶縁性能を確保する。
【００８０】
図１１に示したように、前記絶縁層７のドップ側は、水ガイド傾斜面および水ガイドホール７１を形成し、ボトムケースの底部は、止水リブ７３を形成する。
【００８１】
前記水ガイドホール７１は、絶縁層７の内周のエッジに設置され、前記ボトムケースの底部には、絶縁層７の内周のエッジと接合する止水リブ７３が設置される。
【００８２】
前記水ガイド傾斜面は、絶縁層７のドップ面に沿って、水ガイドホール７１を向かって徐々に傾斜されて、水が水ガイドホール７１を介してボトムケースの底部に流入するようにし、止水リブ７３によって水を電気部件から隔離させて、水をケースの通風口から排出させる。このようにして、絶縁構造を形成して、電磁調理器のパネルの損傷後の絶縁性能を確保する。
【００８３】
図１２に示したように、前記下部溝体４２の溝底部には、ブラケット案内管４３が設置されており、前記ブラケット案内管４３は、ボトムケース１の案内孔内に挿入される。
【００８４】
前記支持フレーム４の上端は、複数のリング状の止水リングを形成し、前記止水リングは、パネル２のスルーホールから流入されたスープを収集することができ、止水リングは、上記のスルーホール内のスープを下部溝体４２に導入し、前記下部溝体４２には、ブラケット案内管４３がさらに形成されており、前記ブラケット案内管４３は、スープをボトムケース１から導出することができる。
【００８５】
前記ボトムケース１には、導出柱が形成され、前記導出柱には、案内孔が形成され、前記ブラケット案内管４３は、案内孔に挿入される。
【００８６】
前記下部溝体４２には、水ガイド用の傾斜面が形成される。
【００８７】
前記止水リングは、複数あり、前記止水リングの直径は、パネル２上のスルーホールの孔直径よりも大きい。
【００８８】
図１３〜１４に示したように、前記パネル２のスルーホール内には、スルーホール保護アセンブリが設置されており、前記スルーホール保護アセンブリは、スルーホール内に設置されているパッケージスリーブ８を含み、前記パッケージスリーブ８の上端は、パネル２の上端と接触するリング状の位置制限プレートを形成し、前記パッケージスリーブ８の下端には、ロック用ナット８１またはロック用スプリングシート８２が設置されている。
【００８９】
前記パッケージスリーブ８は、スルーホールの内側および上下端のエッジを包囲し、パネル２を締め付ける。
【００９０】
前記パッケージスリーブ８は、リベットによってパネル２に固定された金属材料である。
【００９１】
前記パッケージスリーブ８は、熱プレスまたは超音波溶接によってパネル２に固定された硬質のプラスチック材料である。
【００９２】
前記パッケージスリーブ８は、スルーホールを貫通する雄ねじスリーブと、パネル２の底側で雄ねじスリーブを固定するロック用ナット８１とを含む。
【００９３】
前記パッケージスリーブ８の下部には、パネル２の底側に係合して固定されるロック用スプリングシート８２が設置されている。
【００９４】
前記ロック用スプリングシート８２は、金属材料である。
【００９５】
前記スルーホール保護アセンブリは、パネル２のスルーホールを保護して、パネルの破裂を防止する役割を果たすことができ、製品を使用する信頼性および安全性を保護する同時に、スリーブ８を包囲して温度コントローラ３に対してガイドを提供することができる。
【００９６】
図１５〜１６に示したように、前記パネル２のスルーホールと温度コントローラ３との間には、スープの内部チェンバーへの流入を避ける密封構造が設置されている。
【００９７】
前記パネル２のスルーホールと温度コントローラ３との間には、排水構造が設置されているか、または、スープの内部チェンバーへの流入を避ける密封構造が設置されている。
【００９８】
前記密封構造は、調理ポット体の底部とパネル２の上端のスープが、スルーホールと温度コントローラ３との間の間隙を介して、電磁調理器の内部に流入されることを避ける。
【００９９】
前記密封構造は、密封リングであり、前記密封リングは、スルーホール内に設置される。
【０１００】
前記密封リングの内壁には、リング状の突出リブが形成され、前記リング状の突出リブの内径と温度コントローラ３の外壁とは、締まり嵌めて組み立てされる。リング状の突出リブは、温度コントローラ３の外壁との締まり嵌め組立の接触面積を効果的に減少させることができ、伸縮ストロークに対する温度コントローラ３の抵抗影響を低減することができる。
【０１０１】
図１５に示したように、前記密封構造は、スルーホールに設置されている組立スリーブ９を含み、前記組立スリーブ９の上端には、ガスケット９１が設置されており、前記ガスケット９１の上端は、調理ポット体と接触され、前記ガスケット９１の下端は、温度コントローラ３の温度感知蓋３２と接触される。
【０１０２】
前記密封構造は、スルーホールを封じ込み、また、前記密封構造は、温度コントローラ３の温度感知蓋３２と弾性的に当接するガスケット９１であり、前記ガスケット９１の下端は、スルーホールと咬合する組立スリーブ９を形成する。
【０１０３】
前記ボトムケースには、プレスブロックが設置されており、前記プレスブロックは、組立スリーブ９の下端をパネル２の下端面に押し付ける。
【０１０４】
前記プレスブロックは、中空の柱状のプレスブロックであり、前記プレスブロックの下端は、支持フレームに固定される。
【０１０５】
前記ガスケット９１の材料は、密封シリコーンであり、ガスケット９１は、その弾性変形によって調理ポット体と効果的に当接して、調理ポット体をカバーする。
【０１０６】
ガスケット９１自体は、一定の弾性延性を有しており、フリー状態で、温度コントローラ３は、駆動バネの作用により、ガスケット９１を一定の高さまで押し上げる。調理ポット体を載置した後、温度コントローラ３は、調理ポット体および込められた食料品の重力の作用により、駆動バネが変形されて、温度コントローラ３全体が、パネル２と実質的に同一平面までに収縮される。同時に、温度コントローラ３の温度感知蓋３２は、駆動バネの弾性力の作用により、調理ポット体の底部にしっかりと当接されることによって、温度コントローラ３の温度感知蓋３２が調理ポット体の底部の温度を良好に感知することができる。
【０１０７】
図１６に示したように、前記密封構造は、密封スリーブ９２であり、前記密封スリーブ９２の上端は、パネル２の下端に固定され、密封スリーブ９２の下端は、温度コントローラ３の支持フレームに固定される。
【０１０８】
前記密封スリーブ９２の軸方向の断面は、折線状である。
【０１０９】
前記密封スリーブ９２は、密封シリコーンであり、密封スリーブ９２は、温度コントローラ３の外部のスープの電磁調理器内部への流入を避けることができる。
【０１１０】
温度コントローラ３の伸縮過程では、密封スリーブ９２の裾引き辺の角度は大きくなったり小さくなったりする過程にあり、このようにして、密封効果を確保するだけでなく、温度コントローラ３の伸縮過程での抵抗を低減することができる。
【０１１１】
前記温度コントローラ３の上端は、パネル２に平行される温度感知蓋３２である。
【０１１２】
前記密封構造は、密封スリーブ９２を含み、前記密封スリーブ９２の上端は、パネル２の下端に固定され、前記密封スリーブ９２の内壁には、咬合溝９３が形成され、前記咬合溝９３は、内枠３１の取付プレートと咬合する。
【０１１３】
前記内枠３１の外壁は、外方に延びて取付プレートを形成し、前記咬合溝９３は、取付プレートに弾性的に嵌合される。
【０１１４】
図１７に示したように、前記温度コントローラ３は、上記の伸縮固定方法を採用するほか、固定構造を採用して温度コントローラの温度感知蓋３２がパネル２の上端からわずかに突出するようにしてもよく、前記温度コントローラ３の上端の温度感知蓋３２がパネル２の上端から突出する高さは、０〜５ｍｍである。
【０１１５】
前記温度感知蓋３２は、パネル２上の調理ポット体と直接に接触して、温度感知蓋３２は、調理ポット体の温度を直接に感知することができて、ポット内の食料品の実際の温度を正確に感知することができる。
【０１１６】
前記温度感知蓋３２とパネル２との間の距離は、ｈ（０≦ｈ≦５ｍｍ）であり、上記ｈの高さは、温度感知蓋３２とポットの底部との直接的な接触を確保でき、調理ポット体とパネル２との間の間隙を減らすことができて、多様な種類のポット体に幅広く適用されて、ユーザの調理操作を便利にすることができる。
【０１１７】
温度感知蓋３２とパネル２との間の距離であるｈが０よりも小さいと、パネル２は調理ポット体を支持するが、温度感知蓋３２は調理ポット体に接触されず、温度コントローラ３の温度感知に直接に影響を及ぼすことになる。
【０１１８】
温度感知蓋３２とパネル２との間の距離であるｈが５ｍｍよりも大きいと、調理ポット体の底部は比較的高い凸包逃げセンサを設置する必要があり、調理の攪拌揚げ動作に大きな影響を及ぼすことになる。
【０１１９】
前記温度コントローラ３とスルーホールとの組立孔隙位置には、エポキシ樹脂、５０２接着剤、速乾性接着剤、または、ＲＴＶシリコーンなどの材料を充填し、また、充填物の自然の表面乾燥または乾燥によって、温度コントローラ３をパネルの所定の位置に固定させる。
【０１２０】
前記温度感知蓋３２の外壁には、さらに、雄ねじが形成されてもよく、パネル２の下端は雄ねじのナットに被せられて、温度コントローラ３が固定される。
【０１２１】
図１８に示したように、前記温度コントローラ３の側壁には、温度コントローラ３の突出高さを制限する突出位置制限装置が設置されており、前記突出位置制限装置は、突出位置制限リブ６１を含み、前記温度コントローラ３の側壁には、温度コントローラ３の伸縮過程をガイドするセンタリング位置制限リブ６２がさらに設置されている。
【０１２２】
前記突出位置制限リブ６１およびセンタリング位置制限リブ６２は、いずれも、複数あり、前記突出位置制限リブ６１の上端は、パネル２に当接されて、温度コントローラ３のパネル２から突出する高さを制限することができる。
【０１２３】
前記センタリング位置制限リブ６２と突出位置制限リブ６１とは、縦方向に整列されている。
【０１２４】
前記センタリング位置制限リブ６２と突出位置制限リブ６１とは、縦方向に交錯されている。
【０１２５】
前記センタリング位置制限リブ６２は、上方の傾斜部６２１と下方の直線部６２２とを含む。
【０１２６】
前記傾斜部６２１は、上から下にかけて高さが徐々に高くなり、前記直線部６２２の高さは、傾斜部６２１の最大高さと一致する。
【０１２７】
前記センタリング位置制限リブ６２は、温度コントローラ３がパネル２のスルーホールに沿って摺動して突出するようにすることができ、突出する過程で、センタリング位置制限リブ６２は、温度コントローラ３が突出した後にスルーホールと同一の軸に位置するように確保でき、突出の精度を確保できる。センタリング位置制限リブ６２は、摺動して突出する過程で、減速機能を果たすことができて、温度コントローラ３が突出した後に周方向の揺れを避けて、組立のコンパクト性を向上させることができる。
【０１２８】
前記突出位置制限リブ６１は、その上端は、パネル２と接触する平面であり、その下端は、円弧状である。
【０１２９】
前記センタリング位置制限リブ６２および突出位置制限リブ６１は、いずれも、周方向に均等に分布されている。
【０１３０】
前記温度コントローラ３の突出パネル２の高さは、Ｈであり、前記高さＨは、０.５ｍｍ≦Ｈ≦６ｍｍとの条件を満たす。
【０１３１】
前記センタリング位置制限リブ６２は、スルーホールの内壁に組み立てられて、温度コントローラ３が一側に歪むのを防止して、温度コントローラ３とパネル２との周方向の間隙が均一になるように確保し、前記センタリング位置制限リブ６２の高さは、０.１〜０.５ｍｍである。
【０１３２】
本発明によると、パネルには、スルーホールが形成され、スルーホール内には伸縮型の温度コントローラが設置されているので、温度コントローラと調理ポット体の底部との当接を実現して、調理ポット体の底部の温度に対する温度コントローラの精度よい測定を確保できるし、温度コントローラの温度感知蓋を最適化することにより、伝導過程中の熱損失を減らすことができるし、パネルの下端の絶縁層、水ガイドホール、および、止水リブによって、パネルの破裂後の絶縁、防水、および、保護を実現できるし、パネルのスルーホールの密封構造または排水構造によって、パネル上のスープのボトムケースの電気素子への流入を避けることができ、電磁調理器の精度よい温度制御を実現して、使用の安全性を向上させた。
【符号の説明】
【０１３３】
１  ボトムケース              ２  パネル
３  温度コントローラ          ４  支持フレーム
５  駆動バネ                  ６  位置制限ロッキングピン
７  絶縁層                    ８  パッケージスリーブ
９  組立スリーブ          
３１ 内枠                     ３２ 温度感知蓋
３３ 温度測定素子             ３４ 絶縁パッド
３５ サーミスタ               ３６ 取付溝体 
３７ サーミスタブラケット     ３８ 赤外線プローブ
３９ 円周溝      
４１ ガイドホール                 ４２ 下部溝体
４３ ブラケット案内管
６１ 突出位置制限リブ         ６２ センタリング位置制限リブ
６２１ 傾斜部                 ６２２ 直線部 
７１ 水ガイドホール               ７２ 固定プレート
７３ 止水リブ
８１ ロック用ナット           ８２ ロック用スプリングシート
９１ ガスケット               ９２ 密封スリーブ
９３ 咬合溝
【図１】
0003223501.tif 000003
【図２】
0003223501.tif 000004
【図３】
0003223501.tif 000005
【図４】
0003223501.tif 000006
【図５】
0003223501.tif 000007
【図６】
0003223501.tif 000008
【図７】
0003223501.tif 000009
【図８】
0003223501.tif 000010
【図９】
0003223501.tif 000011
【図１０】
0003223501.tif 000012
【図１１】
0003223501.tif 000013
【図１２】
0003223501.tif 000014
【図１３】
0003223501.tif 000015
【図１４】
0003223501.tif 000016
【図１５】
0003223501.tif 000017
【図１６】
0003223501.tif 000018
【図１７】
0003223501.tif 000019
【図１８】
0003223501.tif 000020
【手続補正書】
【提出日】平成31年4月14日(2019.4.14)
【手続補正１】
【補正対象書類名】実用新案登録請求の範囲
【補正対象項目名】全文
【補正方法】変更
【補正の内容】
【実用新案登録請求の範囲】
【請求項１】
ボトムケース（１）、パネル（２）、および、温度コントローラ（３）を含む電磁調理器であって、
前記ボトムケース（１）は、そのトップ部が開放され、前記ボトムケース（１）の内部チェンバーには、組立収納チェンバーが形成されており、
前記パネル（２）は、ボトムケース（１）の開放端に設置され、パネル（２）の上端は、調理ポット体の支持面であり、
前記温度コントローラ（３）は、内枠（３１）を含み、前記内枠（３１）のトップ端には、調理ポット体と接触する温度感知蓋（３２）が設置され、前記内枠（３１）の内部チェンバーには、接触的または非接触的に、温度感知蓋（３２）の温度を測定する温度測定素子（３３）が設置されており、
その中、前記温度コントローラ（３）は、パネル（２）のスルーホールから伸縮して突出し、温度コントローラ（３）の温度感知蓋（３２）は調理ポット体に当接され、
前記パネル（２）のスルーホールと温度コントローラ（３）との間には、スープの流入を避けるための密封構造、または、スープをボトムケース（１）から導出するための排水構造が、設置されており、
前記温度コントローラ（３）には、温度コントローラ（３）の伸縮を駆動する弾性駆動構造が設置されている
ことを特徴とする電磁調理器。
【請求項２】
前記接触的に温度感知蓋（３２）の温度を測定する温度測定素子（３３）は、サーミスタ（３５）を含み、前記サーミスタ（３５）は、内枠（３１）の内部チェンバー内に固定され、前記サーミスタ（３５）は、温度感知蓋（３２）の下端に接触され、前記内枠（３１）の内部チェンバー内には、固定体が設置されており、前記サーミスタ（３５）は、固定体に設置される
ことを特徴とする請求項１に記載の電磁調理器。
【請求項３】
前記非接触的に温度感知蓋（３２）の温度を測定する温度測定素子（３３）は、赤外線プローブ（３８）を含み、前記赤外線プローブ（３８）は、内枠（３１）の内部チェンバー内に設置されており、前記赤外線プローブ（３８）の測定端は、温度感知蓋（３２）の下端に面している
ことを特徴とする請求項１に記載の電磁調理器。
【請求項４】
前記弾性駆動構造は、駆動バネ（５）であり、前記内枠（３１）の外側の側壁は、下方に向けて開口する取付溝体（３６）を形成し、前記駆動バネ（５）の上端は、取付溝体（３６）に設置され、前記駆動バネ（５）の下端は、ボトムケース（１）内の支持フレーム（４）に接続され、前記内枠（３１）は、支持フレーム（４）のガイドホール（４１）に沿って摺動され、
前記支持フレーム（４）には、ガイドホール（４１）が形成され、前記ガイドホール（４１）の内壁には、駆動バネ（５）を収納する下部溝体（４２）が形成され、前記下部溝体（４２）の開口は、上方に向け、
前記排水構造は、下部溝体（４２）の溝底部に設置されたブラケット案内管（４３）を含み、前記ブラケット案内管（４３）は、ボトムケース（１）の案内孔に挿入され、
前記パネル（２）のスルーホール内には、スルーホール保護アセンブリが設置されており、前記スルーホール保護アセンブリは、スルーホール内に設置されているパッケージスリーブ（８）を含み、前記パッケージスリーブ（８）の上端は、パネル（２）の上端と接触するリング状の位置制限プレートを形成し、前記パッケージスリーブ（８）の下端には、ロック用ナット（８１）またはロック用スプリングシート（８２）が設置されている
ことを特徴とする請求項１に記載の電磁調理器。
【請求項５】
前記温度感知蓋（３２）は、内枠（３１）の上端に被せられているか、または、内枠（３１）の内部チェンバー内に挿入され、
前記温度感知蓋（３２）の下端は、取付皿穴を形成し、前記取付皿穴は、内枠（３１）の上端に被せられ、
前記温度感知蓋（３２）の下端は、咬合バックルを形成し、前記内枠（３１）の上端は、咬合バックル溝を形成し、前記咬合バックルと咬合バックル溝とは互いに固定され、
前記温度感知蓋（３２）の下端は、内枠（３１）の内部チェンバー内に挿入されるスリーブを形成し、前記スリーブの外壁には、固定用円周溝（３９）が形成され、
前記内枠（３１）の内部チェンバーの内壁には、円周溝（３９）と互いに固定される凸状リングが形成されているか、または、前記円周溝（３９）内には、内部チェンバーの内壁と接続されるポッティング絶縁層が設置されている
ことを特徴とする請求項１に記載の電磁調理器。
【請求項６】
前記ボトムケース（１）の内壁には、支持突起が形成され、前記支持突起上には、絶縁層（７）が設置されており、前記絶縁層（７）上には、パネル（２）が設置されており、前記ボトムケース（１）の上端には、パネル（２）を固定する固定プレート（７２）が設置され、
前記絶縁層（７）の上端は、傾斜な水ガイド面を形成し、前記絶縁層には、水ガイドホール（７１）が形成され、前記ボトムケース（１）には、電気素子を保護する止水リブ（７３）が形成される
ことを特徴とする請求項１に記載の電磁調理器。
【請求項７】
前記密封構造は、スルーホール内に設置されている密封リングであり、前記密封リングの内部リングは、温度コントローラ（３）と接触される
ことを特徴とする請求項１に記載の電磁調理器。
【請求項８】
前記密封構造は、スルーホールに設置されている組立スリーブ（９）を含み、前記組立スリーブ（９）の上端には、ガスケット（９１）が設置されており、前記ガスケット（９１）の上端は、調理ポット体と接触され、前記ガスケット（９１）の下端は、温度コントローラ（３）の温度感知蓋（３２）と接触される
ことを特徴とする請求項１に記載の電磁調理器。
【請求項９】
前記密封構造は、密封スリーブ（９２）を含み、前記密封スリーブ（９２）の上端は、パネル（２）の下端に固定され、前記密封スリーブ（９２）の内壁には、咬合溝（９３）が形成され、前記咬合溝（９３）は、内枠（３１）の取付プレートに咬合される
ことを特徴とする請求項１に記載の電磁調理器。
【請求項１０】
前記温度コントローラ（３）の側壁には、温度コントローラ（３）の突出高さを制限する突出位置制限装置が設置されており、前記突出位置制限装置は、突出位置制限リブ（６１）を含み、前記温度コントローラ（３）の側壁には、温度コントローラ（３）の伸縮過程をガイドするセンタリング位置制限リブ（６２）がさらに設置されている
ことを特徴とする請求項４に記載の電磁調理器。
【手続補正２】
【補正対象書類名】明細書
【補正対象項目名】００７０
【補正方法】変更
【補正の内容】
【００７０】
絶縁シートは、絶縁性および耐温性が良好のシリコーン、テフロン（登録商標）、ポリイミドなどの材料である。前記スリーブの内壁には、絶縁スリーブが設置されている。